(57)【要約】【課題】グロメットの機能を損なうことなく、かかるグロメットを構成する本体に対する軸体の押し込み抵抗をできるだけ小さくさせる点にある。【解決手段】軸体１と、頭部２０を有すると共にこの頭部２０側から押し込まれる前記軸体１により弾性変形によって拡開される脚部２１を備えた本体２とよりなるグロメットである。軸体１は、前記押し込みにより脚部２１の被当接部に当接される第一当接部１０と、この第一当接部１０よりも押し込み後方側に位置される第二当接部１１とを備えており、第一当接部１０により脚部２１の一部を拡開させた後、さらに軸体１を押し込むことにより脚部２１の他の一部が拡開されるようにしてある。【選択図】図９
2011179634.tif 000002
【特許請求の範囲】
【請求項１】
軸体と、頭部を有すると共にこの頭部側から押し込まれる前記軸体により弾性変形によって拡開される脚部を備えた本体とよりなるグロメットであって、
軸体は、前記押し込みにより脚部の被当接部に当接される第一当接部と、この第一当接部よりも押し込み後方側に位置される第二当接部とを備えており、
第一当接部により脚部の一部を拡開させた後、さらに軸体を押し込むことにより脚部の他の一部が拡開されるようにしてあることを特徴とするグロメット。
【請求項２】
被当接部は脚部の内方に突き出す突部であり、軸体の押し込みによりこの突部に第一当接部又は第二当接部が当接されるようになっていることを特徴とする請求項１に記載のグロメット。
【請求項３】
軸体における第一当接部の形成箇所と第二当接部の形成箇所との間にこの軸体の周方向において一定角度分のズレを作るようにして両当接部を形成させてなることを特徴とする請求項１又は請求項２に記載のグロメット。
【請求項４】
本体の脚部の横断面輪郭形状を、この脚部の外側においては仮想の円の円弧に略倣い、かつ、この脚部の内側においては仮想の四角形の辺に略倣うようにしてあることを特徴とする請求項１〜請求項３のいずれか１項に記載のグロメット。
【発明の詳細な説明】
【技術分野】
【０００１】
この発明は、軸体とこの軸体の押し込まれる本体とよりなるグロメットの改良に関する。
【背景技術】
【０００２】
軸体とこの軸体の押し込まれる本体とよりなるピングロメットなどとも称されるグロメットがある。かかるグロメットは、留め付け対象物に形成された貫通穴に本体の脚部を挿通させた状態から、この本体内に軸体を押し込むことにより、かかる脚部を拡開させて、かかる留め付け対象物に留め付く構造を備えている。
【０００３】
グロメット（本体）の脚部にピン（軸体）の挿入によりピンの押圧部に押圧される拡開ポイントを、位置を変えて二箇所設けたグロメットがある。（特許文献１参照）しかるにかかるグロメットにあっては、脚部の先端側に拡開ポイントを位置させる脚部が弾性変形している最中に、脚部の基部側に拡開ポイントを位置させる脚部が弾性変形を開始する設定となっており、グロメットへのピンの押し込み抵抗を十分に低減し得るものではなかった。図１５にその概念を示す。図１５中、横軸はピンの押し込みストローク量であり右に向かうほどこのストローク量は大きくなる。縦軸は押し込み抵抗力である。図１５中、一点鎖線で示すのは脚部の先端側に拡開ポイントを位置させる脚部から生じると考えられる押し込み抵抗力であり、破線で示すのは脚部の基部側に拡開ポイントを位置させる脚部から生じると考えられる押し込み抵抗力であり、実線で示すのはこの二つの抵抗力の合成抵抗力である。
【先行技術文献】
【特許文献】
【０００４】
【特許文献１】特許第４２０１２１７号公報
【発明の概要】
【発明が解決しようとする課題】
【０００５】
この発明が解決しようとする主たる問題点は、この種のグロメットの機能を損なうことなく、かかるグロメットを構成する本体に対する軸体の押し込み抵抗をできるだけ小さくさせる点にある。
【課題を解決するための手段】
【０００６】
前記課題を達成するために、この発明にあっては、グロメットを、軸体と、頭部を有すると共にこの頭部側から押し込まれる前記軸体により弾性変形によって拡開される脚部を備えた本体とよりなるグロメットであって、
軸体は、前記押し込みにより脚部の被当接部に当接される第一当接部と、この第一当接部よりも押し込み後方側に位置される第二当接部とを備えており、
第一当接部により脚部の一部を拡開させた後、さらに軸体を押し込むことにより脚部の他の一部が拡開されるようにしてあるものとした。
【０００７】
前記被当接部を脚部の内方に突き出す突部とし、軸体の押し込みによりこの突部に第一当接部又は第二当接部が当接されるようにしておくことが、好適な実施の形態の一つである。また、軸体における第一当接部の形成箇所と第二当接部の形成箇所との間にこの軸体の周方向において一定角度分のズレを作るようにして両当接部を形成させておくことが、好適な実施の形態の一つである。
【０００８】
軸体の第一当接部が被当接部に当接されない状態では脚部は弾性変形されない。次いで、軸体が第一当接部を被当接部に当接させる位置まで押し込まれると、脚部の一部のみが弾性変形により拡開される。そして、この脚部の一部が拡開されきるまでは脚部の他の一部には弾性変形が生じない。そして、軸体が第二当接部を被当接部に当接させる位置まで押し込まれると、脚部の他の一部が弾性変形により拡開される。これによりグロメットは留め付け対象物を頭部と脚部との間で挟み付けてこの留め付け対象物に留め付く。かかるグロメットにあっては、本体の脚部の一部の拡開と、他の一部の拡開とを同時に生じさせないことから、最終的な留め付け状態ではかかる脚部の一部及び他の一部を共に拡開させるようにしながら、本体への軸体の押し込み抵抗を一定値以下に抑えることができる。
【０００９】
前記本体の脚部の横断面輪郭形状を、この脚部の外側においては仮想の円の円弧に略倣い、かつ、この脚部の内側においては仮想の四角形の辺に略倣うようにしておけば、脚部の横断面輪郭形状を内外いずれも仮想の円の円弧に倣うように構成させた場合に比し軸体の押し込みにより脚部を弾性変形により拡開させ易くできる。
【発明の効果】
【００１０】
この発明によれば、グロメットの機能を損なうことなく、かかるグロメットを構成する本体に対する軸体の押し込み抵抗をできるだけ小さくさせることができる。
【図面の簡単な説明】
【００１１】
【図１】図１はグロメットの分離斜視図である。
【図２】図２はグロメットを構成する軸体の一部破断側面図である。
【図３】図３は図２におけるＡ−Ａ線相当位置でのグロメットの断面図である。
【図４】図４はグロメットを構成する軸体の一部破断側面図であり、図２と９０度異なる向きから軸体を示している。
【図５】図５はグロメットを構成する軸体の底面図である。
【図６】図６はグロメットを構成する本体の一部破断側面図である。
【図７】図７はグロメットを構成する本体の平面図である。
【図８】図８はグロメットを構成する本体の底面図である。
【図９】図９は留め付け対象物の貫通穴にグロメットを構成する本体を挿入した様子を示した断面構成図であり、ａ図に対しｂ図は断面位置を９０度異ならせている。
【図１０】図１０は図９の状態におけるグロメットの横断面図である。
【図１１】図１１は図９の状態から軸体を本体内に押し込み始めた状態を示した断面構成図であり、ａ図に対しｂ図は断面位置を９０度異ならせている。
【図１２】図１２は図１１の状態から軸体を本体内にさらに押し込んだ状態を示した断面構成図であり、ａ図に対しｂ図は断面位置を９０度異ならせている。
【図１３】図１３は軸体を本体内に押し込みきった状態を示した断面構成図であり、ａ図に対しｂ図は断面位置を９０度異ならせている。
【図１４】図１４はこの発明にかかるグロメットにおける軸体の押し込みストローク量と押し込み抵抗との相関関係を示した概念図である。
【図１５】図１５は従来のグロメットにおける軸体の押し込みストローク量と押し込み抵抗との相関関係を示した概念図である。
【発明を実施するための形態】
【００１２】
以下、図１〜図１４に基づいて、この発明の典型的な実施の形態について、説明する。この実施の形態にかかるグロメットは、軸体１とこの軸体１の押し込まれる本体２とよりなり、留め付け対象物Ｐに形成された貫通穴Ｐａに本体２の脚部２１を挿通させた状態から、この本体２内に軸体１を押し込むことにより、かかる脚部２１を拡開させて、かかる留め付け対象物Ｐに留め付くものである。典型的には、かかるグロメットは、前記貫通穴Ｐａをそれぞれ備えた複数の留め付け対象物Ｐを、この貫通穴Ｐａを連通させ合わせるように重なり合わせた状態から、これらの貫通穴Ｐａに本体２の脚部２１を挿通させて前記拡開をなすことにより、かかる複数の留め付け対象物Ｐをグロメットを介して留め合わせるように用いられる。（図１３）
【００１３】
本体２は、頭部２０を有すると共にこの頭部２０側から押し込まれる前記軸体１により弾性変形によって拡開される脚部２１を備えてなる。
【００１４】
図示の例では、頭部２０は、前記貫通穴Ｐａよりも外径を大きくした円板状をなすように構成されている。一方、脚部２１は、かかる貫通穴Ｐａに挿通可能な太さを持つように構成されている。
【００１５】
脚部２１は、頭部２０の一面に脚基部２１１を一体に連接させて、この一面に直交する向きに突き出している。図示の例では、頭部２０には、円形の軸体１の受け入れ穴２０ａが形成されている。脚部２１は、幅広の内外面を備えた細長い板状をなす同寸同形の四つの弾性脚片２１４、２１４…よりなり、この四つの弾性脚片２１４、２１４…に囲繞された軸体１の受け入れ空間２１３を前記受け入れ穴２０ａを連通させている。各弾性脚片２１４はそれぞれ、その一端を受け入れ穴２０ａの穴縁部に一体に連接させこの基部により前記脚基部２１１を形成し、かつ、その他端により脚部２１の脚端末２１２を形成するように配されている。隣り合う弾性脚片２１４間には略等しい間隔が形成されている。
【００１６】
図示の例では、弾性脚片２１４の一端は、受け入れ穴２０ａの穴縁部から内方に突き出す連接部２１５の突きだし端に一体に連接されている。この連接部２１５は弾性脚片２１４と略等しい幅を持つように構成されている。
【００１７】
また、各弾性脚片２１４の他端側にはそれぞれ、脚部２１の内方に突き出す突部２１６が形成されている。各弾性脚片２１４の突部２１６により、前記受け入れ空間２１３は、脚部２１の脚端末２１２側において狭まっている。突部２１６は頭部２０側に向いた傾斜面２１６ａを備えている。突部２１６の頂部２１６ｂと弾性脚片２１４の他端との間は脚部２１の図示しない中心線に平行な平面２１６ｃとなっている。また、各弾性脚片２１４の外面には、その他端側にこの他端に向かうに連れて脚部２１の外径を細める向きの傾斜案内面２１４ａが形成されている。この傾斜案内面２１４ａによって留め付け対象物Ｐの貫通穴Ｐａへの本体２の脚部２１のスムースな挿通が可能となっている。
【００１８】
また、かかる脚部２１の横断面輪郭形状は、この脚部２１の外側においては仮想の円の円弧に略倣い、かつ、この脚部２１の内側においては仮想の四角形の辺に略倣うようにしてある。すなわち、前記各弾性脚片２１４はそれぞれ、その外面を前記仮想の円の円弧に倣わせた湾曲面２１４ｂとしていると共に、その内面を前記仮想の四角形の辺に倣わせた平面２１６ｃとしている。（図７、図８、図１０）これにより、この例にあっては、脚部２１の横断面輪郭形状を内外いずれも仮想の円の円弧に倣うように構成させた場合に比し軸体１の押し込みにより脚部２１は弾性変形により拡開し易くなっている。
【００１９】
一方、前記軸体１は、前記押し込みにより脚部２１の前記突部２１６を被当接部として、この被当接部に当接される第一当接部１０と、この第一当接部１０よりも押し込み後方側に位置される第二当接部１１とを備えている。そして、かかる第一当接部１０により脚部２１の一部を拡開させた後、さらに軸体１を押し込むことにより第二当接部１１が前記被当接部に当接されて脚部２１の他の一部が拡開されるようにしてある。
【００２０】
すなわち、軸体１の第一当接部１０が被当接部に当接されない状態では脚部２１は弾性変形されない。（図９）次いで、軸体１が第一当接部１０を被当接部に当接させる位置まで押し込まれると、脚部２１の一部のみが弾性変形により拡開される。図示の例では、このときは、脚部２１を構成する四つの弾性脚片２１４、２１４…のうち、背中合わせの位置にある二つの弾性脚片２１４のみが外側に撓み出される。（図１１）そして、この脚部２１の一部が拡開されきるまでは脚部２１の他の一部となる残りの二つの弾性脚片２１４には弾性変形が生じないようになっている。そして、軸体１が第二当接部１１を被当接部に当接させる位置まで押し込まれると、脚部２１の他の一部となる残りの二つの弾性脚片２１４が弾性変形により拡開される。（図１２、図１３）これによりグロメットは留め付け対象物Ｐを頭部２０と脚部２１との間で挟み付けてこの留め付け対象物Ｐに留め付く。
【００２１】
この実施の形態にかかるグロメットにあっては、本体２の脚部２１の一部の拡開と、他の一部の拡開とを同時に生じさせないことから、最終的な留め付け状態ではかかる脚部２１の一部及び他の一部を共に拡開させるようにしながら、本体２への軸体１の押し込み抵抗を一定値以下に抑えることができる。図１４にその概念を示す。図１４中、横軸は軸体１の押し込みストローク量であり右に向かうほどこのストローク量は大きくなる。縦軸は押し込み抵抗力である。図１４中、一点鎖線で示すのは本体２の脚部２１の一部から生じると考えられる押し込み抵抗力であり、破線で示すのは本体２の脚部２１の他の一部から生じると考えられる押し込み抵抗力であり、実線で示すのはこの二つの抵抗力の合成抵抗力である。
【００２２】
具体的には、前記軸体１は、略角柱状をなす主体部１２と、円板状部１３とを備えている。円板状部１３の一面に主体部１２の一端が一体に連接されている。主体部１２は本体２の受け入れ穴２０ａを通じて脚部２１の受け入れ空間２１３に挿入可能な太さを持つように構成されている。円板状部１３は主体部１２の太さよりも外径を大きくさせており、本体２の頭部２０の他面にこの円板状部１３を突き当てる位置まで本体２に軸体１を押し込めるようになっている。本体２に軸体１を押し込みきった位置で前記受け入れ穴２０ａは円板状部１３によって閉塞されるようになっている。
【００２３】
軸体１の主体部１２は、その横断面形状を、この主体部１２の各所において、前記仮想の四角形に略倣わせるように構成されている。すなわち、軸体１の主体部１２は四つの側面部１２０、１２０…を備えている。図示の例では、各側面部１２０間にある隅部１２１は、軸体１の軸線方向に長く続くリブ状をなすように構成されており、各側面部１２０は左右の隅部１２１間にあって溝状を呈している。この左右の隅部１２１間の距離は弾性脚片２１４の幅寸法と略一致しており、図示の例では、各弾性脚片２１４をそれぞれ一つの側面部１２０を囲う左右の隅部１２１に納めた状態で受け入れ穴２０ａを通じて受け入れ空間２１３に軸体１がその他端側から導入されるようになっている。軸体１の背中合わせの位置にある二つの側面部１２０、１２０間の距離は、本体２の脚部２１の対向位置にある二つの弾性脚片２１４、２１４における前記平面２１４ｃとして構成される内面間の距離と略一致している。
【００２４】
軸体１の主体部１２における押し込み先端となる他端側には、隣り合う前記隅部１２１の間においてこの軸体１の他端において外方に開放されるように形成されて側面部１２０の端末１２０ａを主体部１２の他端より軸体１の押し込み後方側に後退させる凹所１２２が形成されている。図示の例では、主体部１２の四つの側面部１２０、１２０…のうちの背中合わせの位置にある二つの側面部１２０がかかる凹所１２２によってその端末１２０ａを軸体１の押し込み後方側に後退させている。すなわち、主体部１２は背中合わせの位置にそれぞれ凹所１２２を備えている。この二箇所の凹所１２２、１２２の底面間の距離は、本体２の脚部２１を構成する対向位置にある二つの弾性脚片２１４の突部２１６間の距離よりも小さくなっている。
【００２５】
すなわち、この実施の形態にあっては、かかる凹所１２２により端末１２０ａを後退された側面部１２０のこの端末によって前記第二当接部１１を構成し、かつ、その余の側面部１２０の端末１２０ａによって前記第一当接部１０を構成させている。これにより、この実施の形態にあっては、かかる軸体１における第一当接部１０の形成箇所と第二当接部１１の形成箇所との間にこの軸体１の周方向において一定角度分のズレを作るようにしている。図示の例では、第一当接部１０に対し第二当接部１１は９０度異なる位置に形成されている。
【００２６】
この実施の形態にあっては、前記凹所１２２により端末１２０ａを後退された側面部１２０の中間部１２０ｂよりも端末部が係合部１２０ｃとして外側に張り出されており、第二当接部１１に突部２１６を当接されて拡開された弾性脚片２１４はこの突部２１６の頂部２１６ｂが端末部を超えた位置でやや撓み戻して、この頂部２１６ｂが係合部１２０ｃに引っかかるようになっている。（図１３）
【００２７】
また、この実施の形態にあっては、前記凹所１２２により端末を後退された側面部１２０を間に置く左右の隅部１２１における第二当接部１１よりも円板状部１３に近い位置にそれぞれ、側面部１２０側から凹み込んだ凹部１２１ａが形成されており、この凹部１２１ａに連接部２１５の縁部を入り込ませる位置まで本体２内に軸体１の一部を導入することで、第一当接部１０を突部２１６に当接させない状態で本体２と軸体１とを仮係合できるようにしてある。この仮係合状態から軸体１を押し込むと連接部２１５の縁部が凹部１２１ａから抜け出して軸体１の前記押し込みが許容されるようになっている。
【００２８】
なお、以上に説明したグロメットにおける弾性変形特性を備えるべき箇所へのこの特性の付与は、かかるグロメットの全部又は一部を合成樹脂により構成することで容易に実現することができる。
【符号の説明】
【００２９】
１  軸体
１０  第一当接部
１１  第二当接部
２  本体
２０  頭部
２１  脚部
【図１】
2011179634.tif 000003
【図２】
2011179634.tif 000004
【図３】
2011179634.tif 000005
【図４】
2011179634.tif 000006
【図５】
2011179634.tif 000007
【図６】
2011179634.tif 000008
【図７】
2011179634.tif 000009
【図８】
2011179634.tif 000010
【図９】
2011179634.tif 000011
【図１０】
2011179634.tif 000012
【図１１】
2011179634.tif 000013
【図１２】
2011179634.tif 000014
【図１３】
2011179634.tif 000015
【図１４】
2011179634.tif 000016
【図１５】
2011179634.tif 000017